(57)【要約】【課題】圧縮機の低圧を確保し、信頼性を損なうことなく適正な運転ができる多室形空気調和機の運転制御方法を提供する。【解決手段】圧縮機１、室外送風機６、室外熱交換器５、メイン膨張弁８を配設した室外機１７と、前記室外機１７に接続されと共に、それぞれ室内熱交換器９を有する複数の室内機１８と、前記圧縮機１の吐出管１ａと吸入管１ｂを膨張弁１５を介して接続するバイパス回路３を具備した多室形空気調和機の運転方法において、冷房または暖房運転で圧縮機運転周波数が最低周波数以上のとき、低圧圧力が第１の設定値を下回ると、前記膨張弁１５の開度を第１の設定開度とし、低圧圧力が第２の設定値を下回ると、前記膨張弁１５の開度を第２の設定開度とするもので、圧縮機１の低圧の低下を防ぐと同時に、適正な冷暖房運転をすることが可能となる。【選択図】図１
2009041845.tif 000002
【特許請求の範囲】
【請求項１】
圧縮機、室外送風機、室外熱交換器、減圧装置を配設した室外機と、前記室外機に接続されと共に、それぞれ室内熱交換器を有する複数の室内機と、前記圧縮機の吐出管と吸入管を膨張弁を介して接続するバイパス回路を具備した多室形空気調和機の運転方法において、冷房または暖房運転で圧縮機運転周波数が最低周波数以上のとき、低圧圧力が第１の設定値を下回ると、前記膨張弁の開度を第１の設定開度とし、低圧圧力が第２の設定値を下回ると、前記膨張弁の開度を第２の設定開度とすることを特徴とする多室形空気調和機の運転制御方法。
【請求項２】
圧縮機、室外送風機、室外熱交換器、減圧装置を配設した室外機と、前記室外機に接続されと共に、それぞれ室内熱交換器を有する複数の室内機と、前記圧縮機の吐出管と吸入管を膨張弁を介して接続するバイパス回路を具備した多室形空気調和機の運転方法において、冷房または暖房運転時で圧縮機運転周波数が設定周波数以上のとき、吸入温度が第１の設定値を下回ると、前記膨張弁の開度を第１の設定開度とし、前記吸入温度が第２の設定値を下回ると、前記膨張弁の開度を第２の設定開度とすることを特徴とする多室形空気調和機の運転制御方法。
【請求項３】
圧縮機、室外送風機、室外熱交換器、減圧装置を配設した室外機と、前記室外機に接続されと共に、それぞれ室内熱交換器を有する複数の室内機と、前記圧縮機の吐出管と吸入管を膨張弁を介して接続するバイパス回路を具備した多室形空気調和機の運転方法において、冷房運転時で圧縮機運転周波数が設定周波数以上のとき、前記複数の室内機の中で、前記室内熱交換器の最も低い温度が第１の設定値を下回ると、前記膨張弁の開度を第１の設定開度とし、前記室内熱交換器の最も低い温度が第２の設定値を下回ると、第２の設定開度とすることを特徴とする多室形空気調和機の運転制御方法。
【請求項４】
圧縮機、室外送風機、室外熱交換器、減圧装置を配設した室外機と、前記室外機に接続されと共に、それぞれ室内熱交換器を有する複数の室内機と、前記圧縮機の吐出管と吸入管を膨張弁を介して接続するバイパス回路を具備した多室形空気調和機の運転方法において、冷房または暖房運転時で圧縮機運転周波数が設定周波数以上のとき、室外吸込み温度が設定値よりも低い場合でしかも、前記室内機の運転台数が第１の設定台数以下のときは、前記膨張弁の開度を第１の設定開度とし、前記室内機の運転台数が第２の設定台数以下のときは、前記膨張弁の開度を第２の設定開度とすることを特徴とする多室形空気調和機の運転制御方法。
【請求項５】
圧縮機、室外送風機、室外熱交換器、減圧装置を配設した室外機と、前記室外機に接続されと共に、それぞれ室内熱交換器を有する複数の室内機と、前記圧縮機の吐出管と吸入管を膨張弁を介して接続するバイパス回路を具備した多室形空気調和機の運転方法において、冷房または暖房運転時で圧縮機運転周波数が設定周波数以上のとき、室外吸込み温度が設定値よりも低い場合でしかも、前記室内機の運転馬力数が第１の設定値を下回ると、前記膨張弁の開度を第１の設定開度とし、前記室内機の運転馬力数が第２の設定値を下回ると、前記膨張弁の開度を第２の設定開度とすることを特徴とする多室形空気調和機の運転制御方法。
【発明の詳細な説明】
【技術分野】
【０００１】
本発明は、多室形空気調和機の運転制御方法に関するものである。
【背景技術】
【０００２】
従来この種の多室形空気調和機の運転制御方法について、図１７〜２０を用いて説明する。図１７は、従来の多室形空気調和機の運転制御方法を採用した多室形空気調和機の冷凍サイクル図、図１８は、同多室形空気調和機の制御方法を示すフローチャート、図１９は、同多室形空気調和機の制御方法を示すタイムチャート、図２０は、同多室形空気調和機の制御方法を示すブロック図である。
【０００３】
図１７〜２０において、従来の多室形空気調和機は、１台の室外機１７と、その室外機１７に接続される複数の室内機１８から構成され、室外機１７は、能力可変型の圧縮機１と、４方弁２と、ガスバイパス回路３と、室外熱交換器５と、室外送風機６と、外気温度センサー７と、減圧装置であるメイン膨張弁８とを備え、各室内機１８は、室内熱交換器９と、室内送風機１０と、室内熱交換器９の冷媒配管（図示せず）の温度を検知する室内配管温度センサー１１と、室内の空気の温度を検知する室内吸込み温度センサー１２とを備えている。
【０００４】
ガスバイパス回路３は、キャピラリーチューブ１３及び電磁２方弁４を介して、圧縮機１の吐出管１ａと吸入管１ｂとをバイパスしている。ここで冷房または暖房運転で圧縮機運転周波数が最低周波数以上のとき、低圧センサー（図示せず）が負圧を検知すると、電磁２方弁４がＯＮして開弁し、吐出された高温高圧の冷媒が吸入管１ｂへ流れるので圧縮機１が負圧になるのを防止することができる（例えば、特許文献１参照）。
【特許文献１】特開平８−２８９８２号公報
【発明の開示】
【発明が解決しようとする課題】
【０００５】
しかしながら、上記従来の多室形空気調和機の運転制御方法では、吐出管１ａと吸入管１ｂは、電磁２方弁４及びキャピラリーチューブ１３を介して接続されているものの、高温高圧の冷媒が吐出から吸入の方へ流れるため能力の損失が大きく、圧縮機１の信頼性は確保されるが、冷房または暖房能力が不足してユーザーに不快感を与えてしまうという課題があった。
【０００６】
本発明は、前記従来の課題を解決するもので、低圧の程度により膨張弁の開度を調節して、能力が低下することなく低圧を確保することができ、圧縮機の信頼性を損なうことなく適正な運転が可能となる多室形空気調和機の運転制御方法を提供することを目的とする。
【課題を解決するための手段】
【０００７】
前記従来の課題を解決するために、本発明の多室形空気調和機の運転制御方法は、圧縮機、室外送風機、室外熱交換器、減圧装置を配設した室外機と、前記室外機に接続されと共に、それぞれ室内熱交換器を有する複数の室内機と、前記圧縮機の吐出管と吸入管を膨張弁を介して接続するバイパス回路を具備した多室形空気調和機の運転方法において、冷房または暖房運転で圧縮機運転周波数が最低周波数以上のとき、低圧圧力が第１の設定値を下回ると、前記膨張弁の開度を第１の設定開度とし、低圧圧力が第２の設定値を下回ると、前記膨張弁の開度を第２の設定開度とするもので、圧縮機の低圧の低下を防ぐと同時に、適正な冷暖房運転をすることが可能となる。
【０００８】
また、本発明の多室形空気調和機の運転制御方法は、圧縮機、室外送風機、室外熱交換器、減圧装置を配設した室外機と、前記室外機に接続されと共に、それぞれ室内熱交換器を有する複数の室内機と、前記圧縮機の吐出管と吸入管を膨張弁を介して接続するバイパス回路を具備した多室形空気調和機の運転方法において、冷房または暖房運転時で圧縮機運転周波数が設定周波数以上のとき、吸入温度が第１の設定値を下回ると、前記膨張弁の開度を第１の設定開度とし、前記吸入温度が第２の設定値を下回ると、前記膨張弁の開度を第２の設定開度とするもので、圧縮機の低圧の低下を防ぐと同時に、適正な冷暖房運転をすることができる。
【０００９】
また、本発明の多室形空気調和機の運転制御方法は、圧縮機、室外送風機、室外熱交換器、減圧装置を配設した室外機と、前記室外機に接続されと共に、それぞれ室内熱交換器を有する複数の室内機と、前記圧縮機の吐出管と吸入管を膨張弁を介して接続するバイパス回路を具備した多室形空気調和機の運転方法において、冷房運転時で圧縮機運転周波数が設定周波数以上のとき、前記複数の室内機の中で、前記室内熱交換器の最も低い温度が第１の設定値を下回ると、前記膨張弁の開度を第１の設定開度とし、前記室内熱交換器の最も低い温度が第２の設定値を下回ると、第２の設定開度とするもので、圧縮機の低圧の低下を防ぐと同時に、適正な冷暖房運転をすることができる。
【００１０】
また、本発明の多室形空気調和機の運転制御方法は、圧縮機、室外送風機、室外熱交換器、減圧装置を配設した室外機と、前記室外機に接続されと共に、それぞれ室内熱交換器を有する複数の室内機と、前記圧縮機の吐出管と吸入管を膨張弁を介して接続するバイパス回路を具備した多室形空気調和機の運転方法において、冷房または暖房運転時で圧縮機運転周波数が設定周波数以上のとき、室外吸込み温度が設定値よりも低い場合でしかも、前記室内機の運転台数が第１の設定台数以下のときは、前記膨張弁の開度を第１の設定開度とし、前記室内機の運転台数が第２の設定台数以下のときは、前記膨張弁の開度を第２の設定開度とするもので、圧縮機の低圧の低下を防ぐと同時に、適正な冷暖房運転をすることができる。
【００１１】
また、本発明の多室形空気調和機の運転制御方法は、圧縮機、室外送風機、室外熱交換器、減圧装置を配設した室外機と、前記室外機に接続されと共に、それぞれ室内熱交換器を有する複数の室内機と、前記圧縮機の吐出管と吸入管を膨張弁を介して接続するバイパス回路を具備した多室形空気調和機の運転方法において、冷房または暖房運転時で圧縮機運転周波数が設定周波数以上のとき、室外吸込み温度が設定値よりも低い場合でしかも、前記室内機の運転馬力数が第１の設定値を下回ると、前記膨張弁の開度を第１の設定開度とし、前記室内機の運転馬力数が第２の設定値を下回ると、前記膨張弁の開度を第２の設定開度とするもので、圧縮機の低圧の低下を防ぐと同時に、適正な冷暖房運転をすることができる。
【発明の効果】
【００１２】
本発明の多室形空気調和機の運転制御方法は、冷房または暖房運転時の圧縮機低圧の低下を無くし、しかも冷暖房能力の低下を防ぐことができる。
【発明を実施するための最良の形態】
【００１３】
第１の発明は、圧縮機、室外送風機、室外熱交換器、減圧装置を配設した室外機と、前記室外機に接続されと共に、それぞれ室内熱交換器を有する複数の室内機と、前記圧縮機の吐出管と吸入管を膨張弁を介して接続するバイパス回路を具備した多室形空気調和機の運転方法において、冷房または暖房運転で圧縮機運転周波数が最低周波数以上のとき、低圧圧力が第１の設定値を下回ると、前記膨張弁の開度を第１の設定開度とし、低圧圧力が第２の設定値を下回ると、前記膨張弁の開度を第２の設定開度とするもので、圧縮機の低
圧の低下を防ぐと同時に、適正な冷暖房運転をすることが可能となる。
【００１４】
第２の発明は、圧縮機、室外送風機、室外熱交換器、減圧装置を配設した室外機と、前記室外機に接続されと共に、それぞれ室内熱交換器を有する複数の室内機と、前記圧縮機の吐出管と吸入管を膨張弁を介して接続するバイパス回路を具備した多室形空気調和機の運転方法において、冷房または暖房運転時で圧縮機運転周波数が設定周波数以上のとき、吸入温度が第１の設定値を下回ると、前記膨張弁の開度を第１の設定開度とし、前記吸入温度が第２の設定値を下回ると、前記膨張弁の開度を第２の設定開度とするもので、圧縮機の低圧の低下を防ぐと同時に、適正な冷暖房運転をすることができる。
【００１５】
第３の発明は、圧縮機、室外送風機、室外熱交換器、減圧装置を配設した室外機と、前記室外機に接続されと共に、それぞれ室内熱交換器を有する複数の室内機と、前記圧縮機の吐出管と吸入管を膨張弁を介して接続するバイパス回路を具備した多室形空気調和機の運転方法において、冷房運転時で圧縮機運転周波数が設定周波数以上のとき、前記複数の室内機の中で、前記室内熱交換器の最も低い温度が第１の設定値を下回ると、前記膨張弁の開度を第１の設定開度とし、前記室内熱交換器の最も低い温度が第２の設定値を下回ると、第２の設定開度とするもので、圧縮機の低圧の低下を防ぐと同時に、適正な冷暖房運転をすることができる。
【００１６】
第４の発明は、圧縮機、室外送風機、室外熱交換器、減圧装置を配設した室外機と、前記室外機に接続されと共に、それぞれ室内熱交換器を有する複数の室内機と、前記圧縮機の吐出管と吸入管を膨張弁を介して接続するバイパス回路を具備した多室形空気調和機の運転方法において、冷房または暖房運転時で圧縮機運転周波数が設定周波数以上のとき、室外吸込み温度が設定値よりも低い場合でしかも、前記室内機の運転台数が第１の設定台数以下のときは、前記膨張弁の開度を第１の設定開度とし、前記室内機の運転台数が第２の設定台数以下のときは、前記膨張弁の開度を第２の設定開度とするもので、圧縮機の低圧の低下を防ぐと同時に、適正な冷暖房運転をすることができる。
【００１７】
第５の発明は、圧縮機、室外送風機、室外熱交換器、減圧装置を配設した室外機と、前記室外機に接続されと共に、それぞれ室内熱交換器を有する複数の室内機と、前記圧縮機の吐出管と吸入管を膨張弁を介して接続するバイパス回路を具備した多室形空気調和機の運転方法において、冷房または暖房運転時で圧縮機運転周波数が設定周波数以上のとき、室外吸込み温度が設定値よりも低い場合でしかも、前記室内機の運転馬力数が第１の設定値を下回ると、前記膨張弁の開度を第１の設定開度とし、前記室内機の運転馬力数が第２の設定値を下回ると、前記膨張弁の開度を第２の設定開度とするもので、圧縮機の低圧の低下を防ぐと同時に、適正な冷暖房運転をすることができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における多室形空気調和機の運転制御方法を採用した多室形空気調和機の冷凍サイクル図、図２は、同多室形空気調和機の運転制御方法を示すブロック図、図３は、同多室形空気調和機の運転制御方法を示すフローチャート、図４は、同多室形空気調和機の運転制御方法を示すタイムチャートである。尚、上記従来の多室形空気調和機の冷凍サイクルと同一部分については、同一符号を付してその説明を省略する。
【００２０】
本実施の形態は、図１に示すように、ガスバイパス回路３は、圧縮機１の吐出管１ａと吸入管１ｂ側のアキュームレータ１４を、膨張弁１５及びキャピラリーチューブ１３を介
して接続すると共に、低圧圧力を検出する低圧圧力検出装置２０を備えたもので、他の構成は、上記従来の多室形空気調和機の冷凍サイクルと同一である。
【００２１】
次に、図３、４を用いて、本実施の形態における多室形空気調和機の運転制御方法、特に、ガスバイパス回路３中の膨張弁１５の制御の動作を説明する。
【００２２】
冷房または暖房運転時で、圧縮機運転周波数が設定周波数以下で運転している。このときガスバイパス回路３中の膨張弁１５は全閉状態となっている。次に圧縮機１の運転周波数が上昇し、設定値Ｈｚ１以上で、低圧圧力検出装置２０で検出された圧力が設定値ＰＬ１を下回ると、膨張弁１５の開度をＰｓ１まで開く。さらに低圧センサーが設定値ＰＬ２を下回ると、前記膨張弁１５の開度をＰｓ２まで開く。これにより、低圧の状態によって適正な膨張弁開度を設定し、高温高圧の冷媒を吸入管１ｂへ流すことにより、低圧を上昇させ適正な冷暖房運転をすることができる。
【００２３】
（実施の形態２）
図５は、本発明の第２の実施の形態における多室形空気調和機の運転制御方法を示すブロック図、図６は、同多室形空気調和機の運転制御方法を示すフローチャート、図７は、同多室形空気調和機の運転制御方法を示すタイムチャートである。尚、上記従来の多室形空気調和機や、第１の実施の形態における冷凍サイクルと同一部分については、同一符号を付してその説明を省略する。
【００２４】
本実施の形態における多室形空気調和機の運転制御方法は以下のとおりである。
【００２５】
図５〜７において、冷房または暖房運転時で圧縮機運転周波数が設定周波数以下で運転している。このときガスバイパス回路３中の膨張弁１５は全閉状態となっている。次に圧縮機１の運転周波数設定値Ｈｚ１以上で、しかも、吸入温度検出装置２１で検出された吸入温度が設定値Ｔｓ１を下回ると、膨張弁１５の開度をＰｓ１まで開く。さらに吸入温度が設定値Ｔｓ２を下回ると、前記膨張弁１５の開度をＰｓ２まで開く。このようにして、高温高圧の冷媒を吸入管１ｂへ流すことにより、低圧を上昇させ適正な冷暖房運転をすることができる。
【００２６】
（実施の形態３）
図８は、本発明の第３の実施の形態における多室形空気調和機の運転制御方法を示すブロック図、図９は、同多室形空気調和機の運転制御方法を示すフローチャート、図１０は、同多室形空気調和機の運転制御方法を示すタイムチャートである。尚、従来の多室形空気調和機や、上記実施の形態における冷凍サイクルと同一部分については、同一符号を付してその説明を省略する。
【００２７】
本実施の形態における多室形空気調和機の運転制御方法は以下のとおりである。
【００２８】
図８〜１０において、冷房運転時は、圧縮機運転周波数が設定周波数以下で運転している。このときガスバイパス回路３中の膨張弁１５は全閉状態となっている。次に圧縮機１の運転周波数が設定値Ｈｚ１以上で、しかも、室内配管温度センサー１１で検知された室内熱交換器９の温度の内、最も低い温度が設定値Ｔｅ１を下回ると、前記膨張弁１５の開度をＰｓ１まで開く。さらに室内熱交換器９の最も低い温度が設定値Ｔｅ２を下回ると、前記膨張弁１５の開度をＰｓ２まで開くようにする。このようにして、高温高圧の冷媒を吸入管１ｂへ流すことにより、低圧を上昇させ適正な冷房運転をすることができる。
【００２９】
（実施の形態４）
図１１は、本発明の第４の実施の形態における多室形空気調和機の運転制御方法を示す
ブロック図、図１２は、同多室形空気調和機の運転制御方法を示すフローチャート、図１３は、同多室形空気調和機の運転制御方法を示すタイムチャートである。尚、従来の多室形空気調和機や、上記実施の形態における冷凍サイクルと同一部分については、同一符号を付してその説明を省略する。
【００３０】
本実施の形態における多室形空気調和機の運転制御方法は以下のとおりである。
【００３１】
図１１〜１３において、冷房または暖房運転時では、圧縮機運転周波数が設定周波数以下で運転している。このときガスバイパス回路３中の膨張弁１５は全閉状態となっている。次に、圧縮機１の運転周波数が設定値Ｈｚ１以上で、しかも、室外吸込み温度検出装置２３で検出された室外吸込み温度が設定値をＴｏ１下回ると、室内機１８の運転台数が第１の設定台数Ｎ１以下のとき、膨張弁１５の開度をＰｓ１まで開く。さらに室内機１８の運転台数が第２の設定台数Ｎ２を下回ると、膨張弁１５の開度をＰｓ２まで開く。このように高温高圧の冷媒を吸入管１ｂへ流すことにより、低圧を上昇させ適正な冷暖房運転をすることができる。
【００３２】
（実施の形態５）
図１４は、本発明の第５の実施の形態における多室形空気調和機の運転制御方法を示すブロック図、図１５は、同多室形空気調和機の運転制御方法を示すフローチャート、図１６は、同多室形空気調和機の運転制御方法を示すタイムチャートである。尚、従来の多室形空気調和機や、上記実施の形態における冷凍サイクルと同一部分については、同一符号を付してその説明を省略する。
【００３３】
本実施の形態における多室形空気調和機の運転制御方法は以下のとおりである。
【００３４】
図１４〜１６において、冷房または暖房運転時で圧縮機運転周波数が設定周波数以下で運転している。このときガスバイパス回路３中の膨張弁１５は全閉状態となっている。次に、圧縮機１の運転周波数が設定値Ｈｚ１以上で、しかも室外吸込み温度が設定値Ｔｏ１を下回ると、室内機１８の運転馬力数が設定値ＨＰ２以下のとき、膨張弁１５開度をＰｓ１まで開く。さらに室内機１８の運転馬力数が設定値ＨＰ１を下回ると、前記膨張弁開度をＰｓ２まで開く。このように、高温高圧の冷媒を吸入管１ｂへ流すことにより、低圧を上昇させ適正な冷暖房運転をすることができる。
【産業上の利用可能性】
【００３５】
以上のように、本発明にかかる多室形空気調和機の運転制御方法は、冷房または暖房能力を低下させることなく圧縮機低圧を確保することができるので、圧縮機信頼性が向上し最適な冷暖房運転をすることができる。
【図面の簡単な説明】
【００３６】
【図１】本発明の実施の形態１における多室形空気調和機の運転制御方法を採用した多室形空気調和機の冷凍サイクル図
【図２】同多室形空気調和機の運転制御方法を示すブロック図
【図３】同多室形空気調和機の運転制御方法を示すフローチャート
【図４】同多室形空気調和機の運転制御方法を示すタイムチャート
【図５】本発明の実施の形態２における多室形空気調和機の運転制御方法を示すブロック図
【図６】同多室形空気調和機の運転制御方法を示すフローチャート
【図７】同多室形空気調和機の運転制御方法を示すタイムチャート
【図８】本発明の実施の形態３における多室形空気調和機の運転制御方法を示すブロック図
【図９】同多室形空気調和機の運転制御方法を示すフローチャート
【図１０】同多室形空気調和機の運転制御方法を示すタイムチャート
【図１１】本発明の実施の形態４における多室形空気調和機の運転制御方法を示すブロック図
【図１２】同多室形空気調和機の運転制御方法を示すフローチャート
【図１３】同多室形空気調和機の運転制御方法を示すタイムチャート
【図１４】本発明の実施の形態５における多室形空気調和機の運転制御方法を示すブロック図
【図１５】同多室形空気調和機の運転制御方法を示すフローチャート
【図１６】同多室形空気調和機の運転制御方法を示すタイムチャート
【図１７】従来の多室形空気調和機の運転制御方法を採用した多室形空気調和機の冷凍サイクル図
【図１８】同多室形空気調和機の運転制御方法を示すフローチャート
【図１９】同多室形空気調和機の運転制御方法を示すタイムチャート
【図２０】同多室形空気調和機の運転制御方法を示すブロック図
【符号の説明】
【００３７】
１  圧縮機
１ａ  吐出管
１ｂ  吸入管
２  ４方弁
３  ガスバイパス回路
５  室外熱交換器
６  室外送風機
８  外メイン膨張弁（減圧装置）
９  室内熱交換器
１０  室内送風機
１１  室内配管温度センサー
１２  室内吸込み温度センサー
１５  膨張弁
１７  室外機
１８  室内機
【図１】
2009041845.tif 000003
【図２】
2009041845.tif 000004
【図３】
2009041845.tif 000005
【図４】
2009041845.tif 000006
【図５】
2009041845.tif 000007
【図６】
2009041845.tif 000008
【図７】
2009041845.tif 000009
【図８】
2009041845.tif 000010
【図９】
2009041845.tif 000011
【図１０】
2009041845.tif 000012
【図１１】
2009041845.tif 000013
【図１２】
2009041845.tif 000014
【図１３】
2009041845.tif 000015
【図１４】
2009041845.tif 000016
【図１５】
2009041845.tif 000017
【図１６】
2009041845.tif 000018
【図１７】
2009041845.tif 000019
【図１８】
2009041845.tif 000020
【図１９】
2009041845.tif 000021
【図２０】
2009041845.tif 000022